(57)【要約】【課題】  パネルモジュール背面のパネルシャーシを補強して、部品点数を削減し、十分な剛性を持つと共に、薄型化・軽量化に対応する画像表示装置を提供する。【解決手段】  本発明の画像表示装置は、表示パネルモジュールを有する画像表示装置において、表示パネルモジュールの背面側に設けられた板状のパネルシャーシ（４）に補強絞り（５１）を形成する。この補強絞りは水平方向に伸びる複数の第１の絞りと、垂直方向に伸びる複数の第２の絞りとを含み、この第１の絞りと第２の絞りとが互いに連続的に形成されることを特徴とする。【選択図】  図３
2012053082.tif 000002
【特許請求の範囲】
【請求項１】
表示パネルモジュールを有する画像表示装置において、
前記表示パネルモジュールの背面側に設けられた板状のパネルシャーシを備え、
該パネルシャーシは補強絞りが形成されており、該補強絞りは、水平方向に伸びる複数の第１の絞りと、垂直方向に伸びる複数の第２の絞りとを含み、前記第１の絞りと第２の絞りとが連続的に形成されていることを特徴とする画像表示装置。
【請求項２】
請求項１に記載の画像表示装置において、前記パネルシャーシの下端部側に、更に、前記画像表示装置を支持するためのスタンドが取り付けられるスタンド固定用絞りが形成されることを特徴とする画像表示装置。
【請求項３】
請求項２に記載の画像表示装置において、前記補強絞りは前記画像表示装置の背面側に突出し、前記スタンド固定用絞りは前記画像表示装置の前面側に突出することを特徴とする画像表示装置。
【請求項４】
請求項２に記載の画像表示装置において、前記第１の絞りは、前記パネルシャーシの上下端部側とその間に設けられ、前記第２の絞りは、前記パネルシャーシの左右端部側とその間に形成されることを特徴とする画像表示装置。
【請求項５】
請求項４に記載の画像表示装置において、前記パネルシャーシの下端部側に設けられる前記第１の絞りが水平方向に分割されることを特徴とする画像表示装置。
【請求項６】
請求項４に記載の画像表示装置において、前記スタンド固定用絞りの上方には前記パネルシャーシの下端部側に設けられる前記第１の絞りが形成されないことを特徴とする画像表示装置。
【発明の詳細な説明】
【技術分野】
【０００１】
本発明は、画像表示装置に係り、特に剛性を高めるための工夫が為された画像表示装置に関する。
【背景技術】
【０００２】
従来から、液晶表示装置やプラズマディスプレイ装置などの画像表示装置では、液晶パネルやＰＤＰ等の表示パネルの背面側に金属製の平板（パネルシャーシ）を配置することで、表示パネルの剛性を確保する方法が広く用いられている。しかしながら、例えば４０インチを超える大型の表示パネルについては、平板状パネルシャーシのみを用いて剛性を確保することが困難である。このため、従来においては、例えば下記特許文献１に記載のように、パネルシャーシの背面に、パネルシャーシの長手方向に延びる複数の第１の補強リブとこれに直交する複数の第２の補強リブを井桁状になるように組み合せて設けることにより剛性を向上させている。スタンドは、上記第２の補強リブに固定保持されている。
【先行技術文献】
【特許文献】
【０００３】
【特許文献１】特開２００３-２９６４３号公報
【発明の概要】
【発明が解決しようとする課題】
【０００４】
上記特許文献１に記載の従来の画像表示装置では、パネルシャーシの背面側に第１、第２の補強リブを井桁状に設けているため、これらに付随して、補強リブを固定するための部材（固定ネジなど）なども必要となり、部品点数が増加しコストが増加する。
【０００５】
また、補強リブをパネルシャーシの背面側に配置するため、画像表示装置全体の薄型化（奥行き方向寸法の縮小化）に不利である。
【０００６】
本発明は、画像表示装置において、薄型化に有利であり、かつ部品点数を削減しつつも剛性を向上可能な技術を提供するものである。
【課題を解決するための手段】
【０００７】
本発明は、表示パネルの背面側に結合されたパネルシャーシに、水平方向及び垂直方向に延びる補強用絞りを形成することにより剛性を高めたことを特徴とする。
【発明の効果】
【０００８】
本発明によれば、画像表示装置を薄型化し、かつ部品点数を削減しつつも剛性を向上することが可能となる。
【図面の簡単な説明】
【０００９】
【図１】本発明における画像表示装置の一実施例を示す分解斜視図である。
【図２】画像表示装置のテレビスタンド取り付け方法を示す説明図である。
【図３】第１実施例に係るパネルシャーシ４を背面側から見た外観図である。
【図４】第１実施例に係るパネルシャーシ４の絞り形状の説明図である。
【図５】第１実施例に係るパネルシャーシ４に対して垂直方向に所定の荷重を加えた場合のシミュレーション結果を示す図である。
【図６】第２実施例に係るパネルシャーシ４を背面側から見た外観図である。
【図７】第２実施例に係るパネルシャーシ４の絞り形状の説明図である。
【図８】第２実施例に係るパネルシャーシ４に対して垂直方向に所定の荷重を加えた場合のシミュレーション結果を示す図である。
【図９】スタンド固定用絞り２１及び２２の形状の一例を示す図３及び図４のＡ−Ａ方向断面図である。
【図１０】補強絞り５１の形状の一例を示す図３及び図４のＢ−Ｂ方向断面図である。
【発明を実施するための形態】
【００１０】
以下、図面を参照して本発明の実施形態について説明する。
【実施例１】
【００１１】
図１は、本発明における画像表示装置の第１実施例を示す分解斜視図である。図１において、紙面左側が前面側、右側が背面側である。
【００１２】
画像表示装置１は、例えば薄型の液晶ディスプレイ装置やプラズマディスプレイ装置である。画像表示装置１の本体は、前面側から背面側にかけて順に配置された、ベゼル２、表示パネルモジュール３、パネルシャーシ４及びバックカバー６を有して構成されている。表示パネルモジュール３は、例えば画像表示装置が液晶ディスプレイ装置の場合には、液晶パネルとバックライトユニットとを備えて構成される。ベゼル２は例えば樹脂により構成された矩形の枠状を為しており、表示パネルモジュール３を保持している。またベゼル２の開口から表示パネルモジュール３の表示部が前面側に露出するようになっている。表示パネルモジュール３の背面側には例えばアルミや鉄などの金属で構成された板状のパネルシャーシ４が例えばネジ止め等により結合され、さらにパネルシャーシ４の背面側には上記表示パネルモジュール３を駆動する各種の電子部品（メイン基板、電源基板、ＨＤＤ記憶装置など。図示せず）が搭載される。バックカバー６は背面筐体を構成し、パネルシャーシ４の背面側に搭載された電子部品を保護する。バックカバー６は、画像表示装置が液晶表示装置の場合は樹脂で構成し、プラズマディスプレイ装置の場合は不要輻射の漏洩を防止するために鉄やアルミニウムなどの金属で構成することが好ましい。
【００１３】
画像表示装置１を組み立てる際には、表示パネルモジュール３とパネルシャーシ４を１つのユニット部品として扱うことが多い。テレビスタンド５はパネルシャーシ４に取り付けられ、画像表示装置が自立するように支持する。
【００１４】
図２は、テレビスタンド５の取り付け方法を示す説明図である。説明を容易にするため、ベゼル２、表示パネルモジュール３、バックカバー６の図示を省略している。
【００１５】
図２のように、テレビスタンド５は、パネルシャーシ４の下部に取り付けられ固定されている。前記パネルシャーシ４に設けられている２箇所の位置決め用切り起こし２４に、テレビスタンド５の固定部５ａを当接させることによって位置決めし、スタンド固定ネジ３２によってパネルシャーシ４に締結される構造としている。
【００１６】
図２のようにテレビスタンド５によって画像表示装置１（図２ではパネルシャーシ４のみを図示）を自立させた状態において、地震やユーザーなどによって、次の力（荷重）が付加されることがある。例えば、地震により本体が揺れたときに加わるａ方向の力や、ユーザーが側辺を持って画像表示装置の水平方向の中心を基準にして左右方向に首振りをさせたときのｂ方向の力などである。これらの力が画像表示装置１に加わった場合においても、画像表示装置１として表示性能を得るためには、所定の剛性を確保する必要がある。ａ方向、ｂ方向の力に対して剛性を確保するためには、パネルシャーシ４の長手方向（以下横方向とする）及び、短手方向（以下縦方向とする）の両方向への補強が必要である。しかし、補強のために例えば上記特許文献１に記載の画像表示装置のように、パネルシャーシ４と別部材の補強リブを設けると、部品点数の増加しコストの点で不利になるばかりか、装置の薄型化にも不利となる。これに対し、本実施例の画像表示装置においては、パネルシャーシ４に絞りを設けることにより剛性を確保することで、部品定数の低減を図るとともに装置の薄型化に有利とするものである。かかる絞り形状の詳細について以下に説明する。
【００１７】
図３はパネルシャーシ４を背面側から見た外観図である。図３に示されるように、本実施例に係るパネルシャーシ４は、スタンド固定用絞り２１及び２２と、補強用絞り５１が形成されている。ここで絞りとは、パネルシャーシ４の背面側または前面側に盛り上がる（突出する）ように形成された段状部分であるものとする。
【００１８】
スタンド固定用絞り２１及び２２には、それぞれ位置決め用切り起こし２４が設けられている。さらにテレビスタンド５を固定するためのスタンド固定ネジ３２用の固定ネジ穴２３も、スタンド固定用絞り２１及び２２に設けられている。スタンド固定用絞り２１及び２２と補強用絞り５１が形成されパネルシャーシ４のスタンド固定部における水平方向断面図（図３のＡ−Ａ断面図）を図９に示す。図９に示されるように、スタンド固定用絞り２１及び２２は背面方向へ盛り上がるような絞りとし、補強用絞り５１は、前面側へ盛り上がるような絞りとしている。
【００１９】
スタンド固定用絞り２１及び２２を背面方向へ盛り上がるような絞りとしている理由について図１０を参照して説明する。図１０は、図３に示されたパネルシャーシ４の画像表示装置センター位置における垂直方向の断面図（Ｂ−Ｂ断面図）である。尚、図１０において括弧書きの符号は後述する図４に示された絞りの符号に対応している。図１０に示されるように、パネルシャーシ４の下端部にはパネルシャーシ４の前面側の方向に折り曲げられている曲げ８１が形成されており、これによりパネルシャーシ４自体の反りを防止している。尚、パネルシャーシ４の上端部にもパネルシャーシ４の前面側の方向に折り曲げられている曲げ４２が形成されており、これによってパネルシャーシ４自体の反りを防止している。一方、上述のようにテレビスタンド５は画像表示装置の下方から挿入されてスタンド固定用絞り２１及び２２に取り付けられる構造となっている。このため、仮にスタンド固定用絞り２１及び２２を前面側に突出させるように形成すると、上記曲げ８１が設けられるべきパネルシャーシ４の下端部にまで絞りを形成するか、曲げ８１を局所的に除去する必要があり、上記曲げ８１を形成することが困難となる。このため、本実施例では、スタンド固定用絞り２１及び２２を背面方向へ盛り上がるように形成している。
【００２０】
また、図１０に示されるように、補強用の絞り５１を前面方向へ盛り上げるようにしているのは、パネルシャーシ４の背面側に設けられる電源基板等との距離を確保するためである。パネルシャーシ４の背面側に電源基板等を設ける場合には、回路の短絡や電磁気的な影響を防止或いは低減するために、パネルシャーシ４と基板との間に所定の間隙を形成する必要がある。仮に補強用の絞り５１を背面方向に盛り上げるように形成する場合は、電源基板等との距離が短くなるため、パネルシャーシ４に設けられている電源基板等を取り付けるための切り起こしを背面方向に高くする必要があり、画像表示装置全体の薄型化に不利となる。このため、本実施例では、補強用の絞り５１を前面方向へ盛り上がるように形成している。
【００２１】
次に、本実施例に係る補強用絞り５１の形状について説明する。図４は、第１のパネルシャーシの絞り形状の説明図である。ここで、補強用絞り５１は、連続した一体の絞りであるが、説明を容易にするために、図４では位置、機能に応じて符号５１１から５１８に分割している。図４に示されるように、本実施例では、横方向（画像表示装置の水平方向）に伸びる補強用絞りとして、絞り５１６、５１７、５１８が形成されている。絞り５１６はパネルシャーシ４の上端部近傍に、絞り５１７はパネルシャーシ４の下端部近傍に、そして絞り５１８は絞り５１６と５１７との間で絞り５１６寄りに形成されている。また、縦方向（画像表示装置の垂直方向）に伸びる補強用絞りとして、絞り５１１、５１２、５１３、５１４、５１５が形成されている。絞り５１１はパネルシャーシ４を背面側から見て左側近傍に、絞り５１２はパネルシャーシ４を背面側から見て右側近傍に、絞り５１３〜５１５は、絞り５１１と５１２との間に設けられており、絞り５１５はパネルシャーシ４の横方向中央位置に設けられている。これらの絞り５１１〜５１８は、上記したように全てつながっている、一つの面で形成した絞りである。上記の横方向に伸びる絞り５１６、５１７、５１８によりｂ方向の荷重に対する剛性を高め、上記の縦方向に伸びる絞り５１１、５１２、５１３、５１４、５１５によりａ方向の荷重に対する剛性を高めることが可能となる。
【００２２】
このように本実施例では、パネルシャーシ４に、テレビスタンド５が取り付けられるスタンド固定用絞り２１及び２２と、補強用絞り５１とを形成しているため、テレビスタンド５を介してパネルシャーシ４との固定部に伝わる（画像表示装置の自重に基づく）荷重に対する剛性と、パネルシャーシ４全体に加わる荷重に対する剛性とを高めることができる。更に補強用絞り５１は、横方向に伸びる複数の絞りと縦方向に伸びる複数の絞りを含み、かつこれら絞りを連続的に（一体的に）形成しているので、パネルシャーシ４の面に垂直な方向の荷重（ａ方向の力）と回転する方向の荷重（ｂ方向の力）に対する剛性を高めることができる。すなわち、本実施例によれば、例えば棒状や枠状の金属部材などの新たな補強部材を設けることなく、パネルシャーシ４と一体的な絞りを形成するのみで上述した様々な荷重に対する剛性を向上させることができる。従って、本実施例によれば、部品点数が少なくかつ薄型化に有利な補強構造を提供することができる。
【実施例２】
【００２３】
次に、本発明の第２実施例を説明する。この第２実施例は、第１実施例に比べ、表示パネルモジュールの表示面に垂直に加わる荷重に対する剛性をより高めた補強用絞りの形状を特徴とするものである。第２実施例に係る補強用絞りの形状を説明する前に、第１実施例の構成によるパネルシャーシ４の剛性について説明する。
【００２４】
上記第１実施例にて説明した補強絞り５１を設けたときのパネルシャーシ４の剛性を確認するためにシミュレーションによる変形解析を行った。テレビススタンド５の固定部分を拘束点とし、パネルシャーシ４の上端部にパネルシャーシ４に対して垂直方向に所定の荷重を加えた場合のシミュレーション結果を図５に示す。図５において、横軸はパネルシャーシ４の下端からの距離、縦軸はパネルシャーシ４の変位量を示している。
【００２５】
かかるシミュレーションの結果、図５に示されるように、パネルシャーシ４の下端からＢの点において折れ曲がるような変形をしていることがわかった。この部分は、パネルシャーシ４の絞り５１７に相当する位置である。すなわち、テレビスタンド固定部近傍に横方向の絞り５１７があることによって当該部分の剛性を低下させる可能性がある。
【００２６】
そこで、この第２実施例では、表示パネルモジュールの表示面に垂直に加わる荷重に対する剛性を高めるために、図６に示されるような補強絞り５２をパネルシャーシ４に形成したものである。この補強絞り５２の詳細について図７を参照して説明する。
【００２７】
図７は、第２実施例に係るパネルシャーシの絞り形状の説明図である。ここで、補強用絞り５２は、連続した一体の絞りを含むが、説明を容易にするために位置、機能に応じて絞り５２１から５２９に分割している。図７のパネルシャーシ４は、第１実施例のパネルシャーシ４と比べて補強絞りの形状が異なるのみであり、その他の形状は同じである。
【００２８】
図７のように、本実施例では、横方向（画像表示装置の水平方向）に伸びる補強用絞りとして、絞り５２６、５２７、５２８、５２９が形成されている。絞り５２６はパネルシャーシ４の上端部近傍に、絞り５２８及び５２９はパネルシャーシ４の下端部近傍に、そして絞り５２８は絞り５２６と５２７との間で絞り５２６寄りに形成されている。また、縦方向（画像表示装置の垂直方向）に伸びる補強用絞りとして、絞り５２１、５２２、５２３、５２４、５２５が形成されている。絞り５２１はパネルシャーシ４を背面側から見て左側近傍に、絞り５２２はパネルシャーシ４を背面側から見て右側近傍に、絞り５２３〜５２５は、絞り５２１と５２２との間に設けられており、絞り５２５はパネルシャーシ４の横方向中央位置に設けられている。絞り５２５を除く絞りは互いに繋がっている、一つの面で形成した絞りである。
【００２９】
この第２実施例の補強絞り５２が第１実施例の補強絞り５１の形状と大きく異なる部分は、パネルシャーシ４の下方に位置する横方向に伸びる補強絞りを、絞り５２７、絞り５２９に分割し、テレビスタンド固定部（スタンド固定用絞り２１及び２２）の上部に絞り５２７及び絞り５２９と連接する横方向に伸びる絞りをなくしたことである。上記の横方向に伸びる絞り５２６、５２７、５２８、５２９によりｂ方向の荷重に対する剛性を高め、上記の縦方向に伸びる５２１、５２２、５２３、５２４、５２５によりａ方向の荷重に対する剛性を高めることが可能となる。また、絞り５２７、５２９は、絞り５２３、５２４、５２８によって連結されているため、ｂ方向の荷重に対する剛性が低下することは、ほとんどない。
【００３０】
ここで、補強絞り５１を設けたときのパネルシャーシ４の剛性を確認するために図５と同様なシミュレーションによる変形解析を行った。第１実施例の場合と同様に、テレビススタンド５の固定部分を拘束点とし、パネルシャーシ４の上端部にパネルシャーシ４に対して垂直方向に所定の荷重を加えた場合のシミュレーション結果を図８に示す。図８において、補強絞り５２の解析結果を実線６２に示し、比較のために補強絞り５１の解析結果を破線６１に示す。
【００３１】
図８に示されように補強絞り５１の場合は、Ｂ部において、折れ曲がるような変形をしたことに対して、補強絞り５２の場合は、折れ曲がるような変形は無く、また、変位量も約１／７に低減していることがわかる。
【００３２】
これは、第１実施例と同様にテレビスタンド５を固定するためのスタンド固定用絞り２１、２２の間に縦方向に伸びる絞り５２５を配置したこと、及び該絞り５２５がスタンド固定ネジ３２を固定するための固定ネジ穴２３よりも下方向まで形成されていること以外に、第２実施例では絞り５２５に対して横方向に伸びる絞りが交差しない形状としたこと、及び絞り５２１、５２６、５２２、５２９、５２４、５２８、５２３、５２７と連結して絞りが切れている部分が存在しないこと、によるものである。
【００３３】
上記のような補強絞り５２を有するパネルシャーシ４に、ベゼル２、表示パネルモジュール３、バックカバー６、テレビスタンド５を組み合わせて画像表示装置１を構成し、ａ方向やｂ方向に所定荷重を加えても、性能上問題の無いことを確認した。
【００３４】
以上により、本実施例ではパネルシャーシ４に補強絞り５２を設けることで剛性が確保できるため、別部材で補強を行う必要が無い。従って、第１実施例と同様に部品点数を最小限に抑えることができ、装置の薄型化・軽量化を図ることができる。また、第１実施例に比べてスタンド固定部の直上におけるパネルシャーシ４の剛性を高めることが可能となる。
【符号の説明】
【００３５】
１…画像表示装置
２…ベゼル
３…表示パネルモジュール
４…パネルフレーム
５…テレビスタンド
６…バックカバー
２１、２２…テレビスタンド固定用絞り
２３…テレビスタンド５取り付け穴
２４…テレビスタンド５位置決め用切り起こし
３２…テレビスタンド５固定用ネジ
５１、５２…補強用絞り
【図１】
2012053082.tif 000003
【図２】
2012053082.tif 000004
【図３】
2012053082.tif 000005
【図４】
2012053082.tif 000006
【図５】
2012053082.tif 000007
【図６】
2012053082.tif 000008
【図７】
2012053082.tif 000009
【図８】
2012053082.tif 000010
【図９】
2012053082.tif 000011
【図１０】
2012053082.tif 000012